(57)【要約】【課題】  低圧電路の絶縁状態監視装置と漏電地絡保護装置はそれぞれ別個の製品として製作されており両者を変電設備に施工する際の設置場所が重複し施工が困難な場合がある。  絶縁状態監視装置には検出方式の異なる複数の方式がありそれぞれ絶縁状態検出性能に差異があり、特に新設電気設備設計時は負荷設備が確定しないため採用する方式の決定が困難な場合が多い。【解決手段】  検出方式の異なる絶縁状態監視要素それぞれと漏電地絡保護要素を一体化して方式毎の絶縁地絡監視ユニットを構成し、絶縁状態の検出方式が異なる絶縁地絡監視ユニット相互及び漏電地絡監視ユニットが互いに差し替え自由な装置構成とし、各方式の混合使用を可能とした絶縁地絡監視装置を創出する。【選択図】  図４
2010217019.tif 000002
【特許請求の範囲】
【請求項１】
絶縁検出方式の異なる複数方式の絶縁状態監視要素と漏電地絡監視要素を合体して複数方式の絶縁地絡監視ユニットを構成し、各絶縁地絡監視ユニットは同一形状のプラグインユニット形としてそのプラットホームとなるソケット収納箱は電気的な接続部や端子部及び機構的な寸法を複数方式の絶縁地絡監視ユニットに共通に使用出来る構造としてそれぞれのユニットが相互に差しかえ自由としたことを特徴とする絶縁地絡監視装置。
【請求項２】
Ｉｏ方式の絶縁監視要素と漏電地絡監視要素からなるＩｏ絶縁地絡監視ユニットと、Ｉｇｒ方式の絶縁監視要素と漏電地絡監視要素からなるＩｇｒ絶縁地絡監視ユニットとを同一形状のプラグインユニット形とし、そのプラットホームとなるソケット収納箱は電気的な接続部や端子部及び機構的な寸法をＩｏ絶縁地絡監視ユニット及びＩｇｒ絶縁地絡監視ユニットに共通に使用出来る構造としてＩｏ絶縁地絡監視ユニットとＩｇｒ絶縁地絡監視ユニットとを相互に差しかえ自由としたことを特徴とする絶縁地絡監視装置。
【請求項３】
被監視電路の変圧器中性点又は一端から接地極への配線途上に絶縁検出信号を活線で接続可能な割込用中継端子を設け随時に絶縁監視電圧出力の重畳接続を可能としたＩｏ絶縁地絡監視ユニットにより構成する絶縁地絡監視装置及び配電設備。
【請求項４】
Ｉｏ方式の絶縁監視要素と漏電地絡監視要素からなるＩｏ絶縁地絡監視ユニットと、Ｉｇｒ方式の絶縁監視要素と漏電地絡監視要素からなるＩｇｒ絶縁地絡監視ユニットとを同一形状のプラグインユニット形とし、そのプラットホームとなる収納箱は電気的な接続部や端子部及び機構的な寸法をＩｏ絶縁地絡監視ユニット及びＩｇｒ絶縁地絡監視ユニットに共通に使用出来る構造としてＩｏ絶縁地絡監視ユニットとＩｇｒ絶縁地絡監視ユニットとを相互に差しかえ自由とし、且つ、ＺＣＴの試験端子に直接試験電流の流せる試験用接続端子を備えた絶縁地絡監視装置及び配電設備。
【請求項５】
漏電地絡監視要素からなる漏電地絡監視ユニットと、Ｉｏ方式の絶縁監視要素と漏電地絡監視要素からなるＩｏ絶縁地絡監視ユニットと、Ｉｇｒ方式の絶縁監視要素と漏電地絡監視要素からなるＩｇｒ絶縁地絡監視ユニットと、を同一形状のプラグインユニット形とし、そのプラットホームとなるソケット収納箱は電気的な接続部や端子部及び機構的な寸法を各ユニットに共通に使用出来る構造として各ユニットが相互に差しかえ自由とし、被監視電路の変圧器から接地極に接続する接地線に絶縁検出信号を活線で接続できる割込用中継端子を設け随時に絶縁監視電圧の重畳接続を可能とし、ＺＣＴの試験端子に直接試験電流が流せる試験用接続端子を備えた絶縁地絡監視装置。
【発明の詳細な説明】
【技術分野】
【０００１】
本発明は、電気保安を確保するための絶縁状態監視装置並びに漏電地絡保護装置に関するものである。
【背景技術】
【０００２】
電路の地絡事故への対応としては、「地絡に対する保護対策」を目的とした漏電地絡保護装置として、地絡継電器、漏電遮断器及び漏電継電器、漏電火災警報器、等の規格で製作されたものが主として使用されている。
又、電路の対地絶縁劣化事故防止への対応としては、昭和５９年に資源エネルギー庁が「電気設備の保安レベルを維持し、保安業務の効率化の道を開くことを目的に」行った運用通達（４０公局第５９３号）の改正（５９資庁第７４００号）において規定された「低圧電路の絶縁状態の的確な監視が可能な装置」があり、同通達の「一部改正に係る取り扱い要領について」（資公部技術課長通知）においてＩｏ方式及びＩｇｒ方式の絶縁状態監視装置に対する技術要件が定義され、普及が進みつつある。
これについては近年制定された民間基準「自家用電気工作物保安管理規程（ＪＥＡＣ−８０２１−２００６）」の２３０−１，２３０−４，などにも「低圧絶縁監視装置」として記載されている。
【０００３】
電気設備の新設時の設計におけるこれら装置の使用方法について説明すると、まず漏電地絡保護装置として、地絡継電器はじめ漏電継電器や漏電遮断器などと消防法に基づき設置する漏電火災警報器、労働法・労働安全衛生規則により設置する感電防止用漏電遮断器、などの中から地絡波及事故防止、火災防止、感電防止などの観点からいずれかを取捨選択して採用する。
次に、電気需要家の事情により電気設備を停電して絶縁抵抗測定を行うことが困難な場合や、電気使用中に発生する偶発的な絶縁劣化を早期に発見して対処し地絡事故を未然に防止するなどの必要のある場合、或いは、人が行う巡視、点検、検査を代替する目的のある場合などに絶縁状態監視装置を、Ｉｏ方式やＩｏｒ方式、Ｉｇｒ方式等のなかから負荷設備の電気的特性に適合する方式を取捨選択して採用することが行われている。
【先行技術文献】
【特許文献】
【０００４】
【特許文献１】特許第３９２０１６３号
【０００５】
【特許文献２】特願昭  ４８−５３１４９（特開昭  ５０−２１４２）
【非特許文献】
【０００６】
【非特許文献１】「生産と電気」日本電気協会発行  平成４年４月号３０頁「Ｉｇｒ方式絶縁監視装置の概要と特長」片岡耕造
【０００７】
【非特許文献２】「自家用電気工作物保守管理規程（ＪＥＡＣ８０２１−２００６）」日本電気協会発行  平成１９年４月
【発明の概要】
【発明が解決しようとする課題】
【０００８】
「地絡に対する保護対策」として設置する「漏電地絡保護装置」と、「低圧の電路の絶縁性能」を常時監視する目的で設置する「絶縁状態監視装置」は、依拠する法的根拠が異なるため、それぞれ別目的の別名称の装置として製品化されているため、配電設備設計に於いて、「漏電地絡保護装置」と「絶縁状態監視装置」の双方を設備する場合は、それぞれ別個に選択採用し同一箇所に両製品を設置せざるを得ないという問題がある。
【０００９】
同一箇所に両製品を設置するに際し、両者は類似機能の装置であるため、電流センサーとしてのＺＣＴや装置本体の設置場所などが重複することとなり狭い変電施設内に設備工事することが非常に困難となる。  
又、ＺＣＴを設置出来る電路区間が短い場合、両製品のＺＣＴが接近し設備工事の困難は元より、両製品個々の試験作業においても単独のＺＣＴに試験線を通すことが困難となるなどの支障を来す。
【００１０】
「絶縁状態監視装置」の方式としては、運用通達に依拠するＩｏ方式絶縁状態監視装置及びＩｇｒ方式絶縁状態監視装置があり、又民間基準においては特許文献２と動作の類似するＩｏｒ方式絶縁状態監視装置などがある。  
Ｉｇｒ絶縁検出方式は、「非特許文献２」の２３０−４［解説］１．（４）によれば、これらの方式の中でもっとも優れているとされているが、すべての被監視電路にこの方式を採用して施工すると費用が高価となる。
一方、コストが低廉なＩｏ方式やＩｏｒの方式には、被監視電路の中性線（接地相）の対地絶縁が検出出来ないという重大な問題があるほか、変圧器の中性点接地配電方式の場合、負荷が水没するなど均等な絶縁劣化が生ずるとこれが検出出来ないか或いは大きな誤差になる他、負荷設備の対地静電容量値や常時漏れ電流値の大小及び対地静電容量の不平衡により絶縁状態の検出値が増減するという原理上の問題がある。
これらの事情から電気設備の新設設計時点では負荷設備の対地電気特性が明確に把握出来ない為、方式の選択に苦慮するという問題がある。
【００１１】
特許文献１にはＩｏ方式とＩｇｒ方式の絶縁状態監視装置が容易に差し換え互換出来る方式が記載されているが、この場合も漏電地絡保護装置を別途に設置せざるを得ないという問題がある。
【００１２】
絶縁状態監視装置は、小規模受変電設備を対象として開発されたものが主流であり、大規模一般需要家の受配電設備に用途を広げた装置としては「非特許文献１」に「選択絶縁・地絡監視の出来る」装置として地絡過電流要素を組み入れたＩｇｒ方式絶縁監視装置が紹介されている。  しかしこの場合も地絡過電流要素の組み入れはＩｇｒ方式の欠点である完全地絡時には絶縁監視電圧も消滅することにより絶縁劣化の検出が不能となることを補完する目的の後備保護機能として設けたため製品呼称にも地絡保護機能を有することが直接認識出来る表現がされていない。
従って、電気設備設計に於いて「絶縁状態監視装置」と「漏電地絡保護装置」の両者を設置する場合、絶縁状態監視装置とは別に漏電地絡保護装置を併用する設備設計とする例が多い。
【００１３】
漏電地絡保護装置や絶縁状態監視装置はその状態監視機能の健全性を適切に管理する必要があるが、電気設備の定期点検の手法として慣習的に停電をして絶縁抵抗を測定する方法が定着していることに起因して、停電しないと作業出来ない感電危険場所にＺＣＴが設置されている例も多く、模擬絶縁抵抗による動作確認試験を行ったり模擬漏電電流を流してこれの検出機能の確認試験を行うなど、活線で実動方式による状態監視機能試験を行うことは困難な課題の一つとなっている。
【課題を解決するための手段】
【００１４】
本願発明では、漏電地絡監視要素により漏電地絡監視ユニットを構成する、Ｉｏ方式の絶縁監視要素と漏電地絡監視要素を合体してＩｏ絶縁地絡監視ユニットを構成する、又、Ｉｇｒ方式の絶縁監視要素と漏電地絡監視要素を合体してＩｇｒ絶縁地絡監視ユニットを構成する。
これら漏電地絡監視ユニットとＩｏ絶縁地絡監視ユニット及びＩｇｒ絶縁地絡監視ユニットは同一形状のプラグインユニット形とし、そのプラットホームとなる収納箱は電気的な接続部や端子部及び機構的な寸法を、漏電地絡監視ユニットとＩｏ絶縁地絡監視ユニット及びＩｇｒ絶縁地絡監視ユニットに、共通に使用出来る構造とし、漏電地絡監視ユニットとＩｏ絶縁地絡監視ユニット及びＩｇｒ絶縁地絡監視ユニットとを相互に差しかえ自由とし、方式の異なる各ユニットの混合使用も可能な絶縁地絡監視装置を構成する。
【００１５】
絶縁地絡監視装置を構成する施工において、被監視電路の変圧器中性点又は一端から接地極への接地配線途上に、被監視電路を停電することなく絶縁監視電圧出力を接続できる活線割込用中継端子装置を設ける。
【００１６】
絶縁地絡監視装置にはＺＣＴの試験捲き線に接続して実動的試験操作のできる試験端子を設ける。
【発明の効果】
【００１７】
本願発明では、絶縁状態監視要素と漏電地絡監視要素を合体し、「低圧電路の絶縁性能」及び「地絡に対する保護対策」の双方の状態監視ができる機能を絶縁地絡監視装置として一元化して構成した。  これによりＺＣＴ取付スペース並びに機器取付スペースが従前に比べほぼ半減し、配電設備への組み付けが容易となった。
【００１８】
又、Ｉｏ絶縁地絡監視ユニットは、Ｉｇｒ絶縁地絡監視ユニットに差し替え可能なＩｏ，Ｉｇｒ互換型の絶縁地絡監視方式とした。  これにより万一負荷設備に静電容量の多い電力設備が増設された場合も当該被監視電路のＩｏ絶縁地絡監視ユニットを負荷設備の影響を受けにくいＩｇｒ絶縁地絡監視ユニットに容易に差し換えができるから効率的な機器構成が選択出来るようになった。
【００１９】
更に、新設設備設計における絶縁監視及び漏電地絡保護方式の選択作業に於いて、絶縁監視を必要としない電路の地絡保護対策として漏電地絡監視ユニットが、通常の電路負荷設備で構成される電路の低廉な絶縁及び地絡保護にはＩｏ絶縁地絡監視ユニットが、対地静電容量の多い電路負荷設備に対してはＩｇｒ絶縁地絡監視ユニットがそれぞれ適合し、しかも電路負荷の特性に合わせてこれらを停電を要さずに容易に差し換えることが出来るから電路負荷特性に適合する絶縁並びに地絡保護機器の選択が容易になった。
【００２０】
静電容量の多い電路負荷設備は電力需要家の業種にもよるが一般的には全負荷設備の約１０％未満と推定され、すべての回路にＩｇｒ方式の絶縁状態監視要素を使用した従前の方式に比べ大幅なコスト削減ができた。
【００２１】
被監視電路の接地配線途上に活線割込用中継端子装置５０を設けたので、随時に絶縁監視電圧の重畳印加が可能となった。
これにより、Ｉｏ絶縁地絡監視ユニットのみ使用した廉価な絶縁地絡監視装置の構成とした場合も、必要に応じて活線割込用中継端子装置５０に絶縁監視電圧の出力を接続して重畳を行うことで、接地相地絡の検出はじめ携帯用のＩｇｒ検出装置を併用することが可能になり、Ｉｏ絶縁地絡監視ユニットの絶縁情報出力が増加した場合などにはＩｇｒ方式により絶縁劣化の計測確認をするなど絶縁劣化個所を活線で探査特定するという保全作業が可能になった。
【００２２】
Ｉｏ及びＩｇｒ各絶縁検出方式の相互互換及び両者の混合使用が可能となったことで装置名称をその目的を表す「絶縁地絡監視装置」や「絶縁地絡継電器」あるいは「絶縁漏電監視装置」や「絶縁漏電継電器」などとすることが出来るので、用途が直感的にわかり「低圧電路の絶縁性能」及び「地絡に対する保護対策」の双方の機能を持つ状態監視装置或いは継電器として認知され安心して機器の選択が出来るようになった。
【００２３】
絶縁地絡監視装置の各方式の絶縁地絡監視ユニットにはＺＣＴに直接試験電流を流すことの出来る試験端子を設けたので電気設備を停電することなく随時状態監視装置の動作確認を実動的な方法で行うことができるようになった。
【図面の簡単な説明】
【００２４】
【図１】図１は、現在は停電可能で絶縁状態監視が不要であるが将来的に必要となる可能性のある場合に備え漏電地絡監視ユニットを使用した絶縁地絡監視装置の実施例である。（実施例１）
【図２】図２は、すべての回路にＩｏ絶縁地絡監視ユニットを使用して最も低廉な絶縁地絡監視装置を構成した実施例である。（実施例２）
【図３】図３は、実施例２に絶縁監視電圧の重畳を行う回路を付加し接地相地絡検出や携帯用Ｉｇｒ検出器の使用を可能にした実施例である。（実施例３）
【図４】図４は、絶縁の停電点検が可能で絶縁監視が不要な負荷設備に漏電地絡監視ユニットを、通常の電路負荷設備にＩｏ絶縁地絡監視ユニットを、対地静電容量の多い電路負荷設備にＩｇｒ絶縁地絡監視ユニットをそれぞれ適宜採択してハイブリッド構成とした絶縁地絡監視装置の代表的な実施例である。（実施例４）
【図５】図５は、従来技術による施工の１例で地絡保護継電器とＩｇｒ方式絶縁状態監視装置を施工した例である。（従来技術）
【図６】図６は、実施例１の漏電地絡監視ユニットを系統図に示した説明図である。（漏電地絡監視ユニットの説明図）
【図７】図７は、実施例２のＩｏ絶縁地絡監視ユニットを系統図に示した説明図である。（Ｉｏ絶縁地絡監視ユニットの説明図）
【図８】図８は、実施例３の接地相地絡の検出に関する説明図である。（接地相地絡時に流れる電流の説明図）
【図９】図９は、実施例４を構成するＩｇｒ絶縁地絡監視ユニットを系統図に示した説明図である。（Ｉｇｒ絶縁地絡監視ユニットの説明図）
【発明を実施するための形態】
【００２５】
「低圧電路の絶縁性能」の監視用として使用されるＩｏ方式及びＩｇｒ方式の絶縁監視要素と「地絡に対する保護対策」として使用される漏電地絡監視要素をＺＣＴを共有して合体しＩｏ絶縁地絡監視ユニット２０及びＩｇｒ絶縁地絡監視ユニット３０として構成し、更に漏電地絡監視要素のみで漏電地絡監視ユニット４０を構成し、ユニットの受け側となるケース、端子、配線、ＺＣＴ等が各方式の絶縁地絡監視ユニットに共通に使用出来る構成とした。
又、絶縁地絡監視装置を構成する施工において、被監視電路の変圧器中性点又は一端から接地極への配線途上に、活線割込用中継端子装置５０を設けて随時絶縁監視電圧などが接続可能な構成とした。
各絶縁地絡監視ユニットにはＺＣＴの試験端子に直接試験電流が流せる試験端子を設け、絶縁地絡監視ユニットの電気的特性に左右されず、直接ＺＣＴの試験捲き線に試験操作を加え状態監視装置の実動的な動作確認の出来る構成とした。
【００２６】
又、新設設備設計時点では停電による設備の絶縁点検が可能であり絶縁状態監視機能を必要としない電気設備に対しては漏電地絡監視ユニットで監視装置を施工しておき、負荷に停電絶縁試験が困難な設備が増設されたときは、いずれかの絶縁地絡監視ユニットに差し替えるという合理的な設備構成も可能になった。
本願発明の絶縁地絡監視機能を持つ構成は、状態監視情報の出力や警報接点出力を備えた監視装置、或いは低廉な簡易方式として警報接点のみを備えた継電器とした構成を取ることも出来る。
【実施例１】
【００２７】
実施例１（図１）は新設設備設計時点では停電による電気設備の絶縁点検が可能であり絶縁状態監視は不要であるが、将来の負荷増設に於いて絶縁状態監視機能を必要とする可能性がある場合に備えた施工の１例である。
図６は、漏電地絡監視ユニット４０とその接続関係を系統図として説明したもので図中符号４０により囲まれた部分が漏電地絡監視ユニットである。
試験端子４２、４３、は漏電地絡監視ユニットのパネル操作面に配置し、ユニット４０の接続端子群１１ａからソケット収納箱の接続端子群１１ｂを経て多芯ケーブルなどでＺＣＴ１２の試験端子に接続される。
この試験端子４２、４３、に地絡事故などにより実際に流れる電流と同等の試験電流を流すことで漏電地絡監視ユニットの実動的機能の試験を活線の状態で容易に行うことが出来る。
【実施例２】
【００２８】
実施例２（図２）は通常の電路負荷設備６に対して、本願発明になるコストが低廉なＩｏ絶縁地絡監視ユニット２０により絶縁地絡監視装置を構成した施工の１例である。
図５の従前の施工方法では被監視電路１回路に対しＺＣＴ，ＡＺ及びＺＣＴ，ＢＺと地絡保護継電器Ａ及びＩｇｒ方式絶縁状態監視装置Ｂが使用されているが、図２の実施例２による絶縁地絡監視装置ではＺＣＴ１２とＩｏ絶縁地絡監視ユニット２０が各１個で足りるので機器点数としては半減し、施工場所・施工コスト等もこれに伴って改善され、併せて保守管理業務なども一元化され効率が向上した。
【００２９】
図７は、Ｉｏ絶縁地絡監視ユニット２０とその接続関係を系統図として説明したもので図中符号２０により囲まれた部分がＩｏ絶縁地絡監視ユニットである。
Ｉｏ絶縁地絡監視ユニット２０は、Ｉｏ絶縁監視要素２１と漏電地絡監視要素２２及び試験部と電源部等により構成される。
Ｉｏ絶縁地絡監視ユニット２０を受けるソケット収納箱１０の構造は図７では１台のユニットを収納する構造を示しているが、任意数のユニットを収納可能とすることもできる。
このソケット収納箱１０は、各絶縁地絡監視ユニット及び漏電地絡監視ユニットにも共通に使用する。
【００３０】
試験端子２３、２４、は絶縁地絡監視ユニットのパネル操作面に配置し、ユニット２０の接続端子群１１ａからソケット収納箱の接続端子群１１ｂを経て多芯ケーブルなどでＺＣＴ１２の試験端子に接続される。
この試験端子２３、２４、に絶縁劣化故障或いは地絡事故などにより実際に流れる電流と同等の試験電流を流すことでＩｏ絶縁地絡監視ユニットの実動的機能の試験を活線の状態で容易に行うことが出来る。
【００３１】
活線割込用中継端子装置５０は活線で被監視電路の接地線回路に絶縁監視電圧の出力を接続するために使用される。  通常は、変圧器側短絡具取付端子５１ｔと接地側短絡具取付端子５１ｅに接続された短絡片５２により短絡されている。
【実施例３】
【００３２】
実施例３（図３）は実施例２（図２）に絶縁監視電圧重畳装置６０を増設接続した１実施例である。  絶縁監視電圧を重畳することでＩｏ絶縁地絡監視ユニット２０は被監視電路の接地相地絡の検出が可能になる。
【００３３】
図８は変圧器二次電路５の接地相Ｓの地絡検出の説明図である。
絶縁監視電圧発生器６１の出力が重畳用変圧器６２の二次出力Ｅｓとして活線割込用中継端子装置５０を介して変圧器１を経て被監視電路Ｒ，Ｓ，Ｔと大地４（Ｅｄ）間に加わる。  被監視電路の接地相Ｓと大地４間の絶縁抵抗Ｒｇが低下すると絶縁監視電圧Ｅｓにより地絡電流ｉｅｓ＝Ｅｓ／（Ｒｂｄ＋Ｒｇ）なる電流が流れるのでＩｏ絶縁地絡監視ユニットであっても接地相Ｓの地絡が検出可能となる。
接地相地絡の検出機能はＲｂｄが零となる統合接地配電方式など等電位接地を行う受変電設備で特に重要である。
【００３４】
又、絶縁監視電圧を重畳することによって携帯型のＩｇｒ絶縁検出器を使用してＩｇｒ方式により抵抗性電流成分による絶縁状態の良否を確認し又絶縁劣化個所を探査追跡するという効率的な保全作業が可能になるという利点もある。
【００３５】
活線で実施例２の構成から実施例３の構成に移行する為の増設工事は、絶縁監視電圧の重畳装置６０の出力回路６３を活線割込用中継端子装置５０の入力端子５３ｔ，５３ｅに接続し、その後に短絡具５２を短絡具取付端子５１ｔ，５１ｅから外すことで容易に作業が完了する。
【実施例４】
【００３６】
実施例４（図４）は、絶縁の停電点検が可能で絶縁監視が不要な負荷設備８に漏電地絡監視ユニット４０を、通常の電路負荷設備６にＩｏ絶縁地絡監視ユニット２０を、対地静電容量の多い電路負荷設備７及びこれの作用が及ぶ変圧器の接地線２に対してＩｇｒ絶縁地絡監視ユニット３０をそれぞれ適宜採択してハイブリッド構成とした絶縁地絡監視装置で本願発明の最も代表的な実施例である。
被監視電路に対地静電容量の多い負荷設備が生じた場合の対処は、実施例３から当該回路のＩｏ絶縁地絡監視ユニット２０を抜き取り、替わりにＩｇｒ絶縁地絡監視ユニット３０を挿入することで足りる。
この作業は、絶縁地絡監視ユニットが活線での脱着に対し不具合な挙動をしない設計品質に管理されて製作されており、活線の状態で随時行うことができる。
【００３７】
図９は、Ｉｇｒ絶縁地絡監視ユニット３０とその接続関係を系統図として説明したもので図中符号３０により囲まれた部分がＩｇｒ絶縁地絡監視ユニットである。
Ｉｇｒ絶縁地絡監視ユニット３０はＩｇｒ絶縁監視要素３１と漏電地絡監視要素３２及び試験部と電源部等により構成される。
【００３８】
試験端子３３、３４、３５は絶縁地絡監視ユニットのパネル操作面に配置し、ユニット３０の接続端子群１１ａからソケット収納箱の接続端子群１１ｂを経て多芯ケーブルなどでＺＣＴ１２の試験端子及び絶縁監視電圧の入力回路１３、接地極４などに接続される。
Ｉｇｒ絶縁監視要素の実動試験については、この試験端子３３、３５、に、想定する絶縁劣化故障に相当する試験用模擬絶縁抵抗器を接続することで、被監視電路に実際の絶縁劣化故障が生じた場合のＩｇｒ絶縁監視要素の実際の動作を確認することが、活線のままで容易に行うことが出来る。  
即ち、試験端子３５は接地極４に、試験端子３３はＺＣＴ１２の第２試験捲き線の変圧器側ｌｔ２に接続され、これの他端ｋｔ２は変圧器１の接地線２に接続されているから、接続した試験用模擬絶縁抵抗器は等価的に変圧器１の接地線２を通して変圧器二次電路５と大地４の間に接続されたと等価の効果があり、故に絶縁状態検出の実動的試験が出来る。  
勿論試験端子３３の接続は変圧器１の接地線２又は変圧器１の二次電路に直接接続することも出来るが、抵抗器の費消電力や試験回路構成部分の安全性を十分考慮する必要がある。
【００３９】
漏電地絡監視要素３２の試験については、この試験端子３３、３４、に地絡事故などにより実際に流れる電流と同等の試験電流を流すことで実動的機能の試験を活線の状態で容易に行うことが出来る。  
図９において試験端子３３、３４は第２試験捲き線（ｋｔ２，ｌｔ２）に接続しているが、第１試験捲き線（ｋｔ，ｌｔ）を利用することも出来る。
【符号の説明】
【００４０】
１    被監視電路の変圧器
２    変圧器又は電路の接地線
３    変圧器の接地極（Ｅｂ）
４    建物などの接地構造物や設備の接地極（Ｅｄ）
５    変圧器の二次回路
６    通常の電路負荷設備
７    対地静電容量の多い電路負荷設備
８    停電が容易で絶縁状態監視が不要の電路負荷設備
１０  絶縁地絡監視装置のソケット収納箱
１１  プラグインコネクタ端子
１１ａ  ユニット側のコネクタ端子群
１１ｂ  ソケット収納箱側のコネクタ端子群
１２  絶縁地絡監視装置のＺＣＴ
１３  絶縁監視電圧の入力回路
２０  絶縁地絡監視装置のＩｏ絶縁地絡監視ユニット
２１  Ｉｏ絶縁地絡監視ユニットのＩｏ絶縁監視要素
２２  Ｉｏ絶縁地絡監視ユニットの漏電地絡監視要素
２３  Ｉｏ絶縁地絡監視ユニットの試験端子Ｌ側
２４  Ｉｏ絶縁地絡監視ユニットの試験端子Ｋ側
２５  Ｉｏ絶縁地絡監視ユニットの漏電地絡監視要素の試験スイッチ
２６  Ｉｏ絶縁地絡監視ユニットのＩｏ絶縁監視要素の試験スイッチ
３０  絶縁地絡監視装置のＩｇｒ絶縁地絡監視ユニット
３１  Ｉｇｒ絶縁地絡監視ユニットのＩｇｒ絶縁監視要素
３２  Ｉｇｒ絶縁地絡監視ユニットの漏電地絡監視要素
３３  Ｉｇｒ絶縁地絡監視ユニットの試験端子Ｌ側
３４  Ｉｇｒ絶縁地絡監視ユニットの試験端子Ｋ側
３５  Ｉｇｒ絶縁地絡監視ユニットの試験端子Ｅｄ側
３６  Ｉｇｒ絶縁地絡監視ユニットの漏電地絡監視要素の試験スイッチ
３７  Ｉｇｒ絶縁地絡監視ユニットのＩｇｒ絶縁監視要素の試験スイッチ
４０  絶縁地絡監視装置の漏電地絡監視ユニット
４１  漏電地絡監視ユニットの漏電地絡監視要素
４２  漏電地絡監視ユニットの試験端子Ｌ側
４３  漏電地絡監視ユニットの試験端子Ｋ側
４４  漏電地絡監視ユニットの漏電地絡監視要素の試験スイッチ
５０  被監視電路の接地線の活線割込用中継端子装置
５１ｅ  活線割込用中継端子装置の接地側短絡具取付端子
５１ｔ  活線割込用中継端子装置の変圧器側短絡具取付端子
５２    活線割込用中継端子装置の短絡具
５３ｅ  活線割込用中継端子装置の接地側入力端子
５３ｔ  活線割込用中継端子装置の変圧器側入力端子
６０  絶縁監視電圧の重畳装置
６１  絶縁監視電圧の発生器
６２  絶縁監視電圧の重畳用変圧器
６３  重畳用変圧器の電路接地線用捲き線
Ａ    地絡保護継電器
ＡＺ  地絡保護継電器のＺＣＴ  
Ｂ    Ｉｇｒ方式絶縁状態監視装置
ＢＺ  Ｉｇｒ方式絶縁状態監視装置のＺＣＴ
Ｅｓ  被監視電路と大地間に加わる絶縁監視電圧
ｉｅｓ  絶縁監視電圧によりＲｇに流れる電流
ｋｔ    ＺＣＴ１２の第１試験捲き線のＫ側端子
ｌｔ    ＺＣＴ１２の第１試験捲き線のＬ側端子
ｋｔ２  ＺＣＴ１２の第２試験捲き線のＫ側端子
ｌｔ２  ＺＣＴ１２の第２試験捲き線のＬ側端子
Ｒｂｄ  変圧器の接地極３と設備の接地極４間の大地抵抗
Ｒｇ    電路５の接地相Ｓと設備の接地極４間の絶縁抵抗
Ｓ      電路５の接地相
【図１】
2010217019.tif 000003
【図２】
2010217019.tif 000004
【図３】
2010217019.tif 000005
【図４】
2010217019.tif 000006
【図５】
2010217019.tif 000007
【図６】
2010217019.tif 000008
【図７】
2010217019.tif 000009
【図８】
2010217019.tif 000010
【図９】
2010217019.tif 000011